(57)【特許請求の範囲】
【請求項１】
駐車装置の格納棚に収納する予定のくし歯部を有するトレイの上側に、下地部材と、足場板部材と、足場板固定部材と、吊具とを取り外し可能に備えた足場仮設トレイを、駐車装置の外部で組み立てる工程と、
組み立てられた前記足場仮設トレイを、前記駐車装置におけるトレイ支持機構が設けられている格納棚の位置まで搬送する工程と、
前記足場仮設トレイにおける前記トレイを前記トレイ支持機構に支持させることで、前記足場仮設トレイを前記格納棚に収納して、該格納棚の位置に、前記足場仮設トレイの足場板部材による足場を形成する工程と、を行うこと
を特徴とする足場施工方法。
【請求項２】
前記足場板部材は、前記駐車装置の格納棚に付設される水受手段で使用する予定のデッキプレートを用いるようにする
請求項１記載の足場施工方法。
【請求項３】
前記デッキプレートは、前記下地部材と前記足場板固定部材との間で挟持して固定する
請求項２記載の足場施工方法。
【請求項４】
駐車装置の格納棚に収納する予定のくし歯部を有するトレイと、
前記トレイの上側に取り外し可能に取り付けられた下地部材と、
前記下地部材の上側に載置された足場板部材と、
前記足場板部材を前記下地部材の上側に固定する足場板固定部材と、
吊具と、を備え、
前記足場板部材は、前記格納棚に付設される水受手段で使用する予定のデッキプレートであり、前記下地部材に取り外し可能に固定されていること
を特徴とする足場仮設トレイ。
【発明の詳細な説明】
【技術分野】
【０００１】
本発明は、格納棚にくし歯状部材を有するトレイを備える形式の駐車装置に仮設足場を設ける足場施工方法、および、該方法で用いる足場仮設トレイに関するものである。
【背景技術】
【０００２】
駐車装置の一つとしては、建屋内に上下方向に複数段の格納棚を備え、各格納棚に、車両をくし歯状（フォーク状）の支持部を有するトレイに載置した状態で収納する形式の駐車装置が知られている（たとえば、特許文献１参照）。
【０００３】
この種の駐車装置を建設するときには、建屋の外壁を施工する場合などに、上下方向の複数個所に仮設の足場を設けることが必要とされる。
【０００４】
ところで、前記トレイは、車両の車輪が載置される個所がくし歯状とされているため、上下方向に連通している隙間が多い。したがって、このトレイをそのまま作業者が乗る足場として利用することは難しい。
【０００５】
そのため、従来、前記駐車装置に仮設の足場を設ける場合は、以下のような手法が採られていた。
【０００６】
すなわち、各格納棚にトレイが収納されている状態で、先ず、鋼製足場板またはベニヤ板製の足場板を含む仮設足場の材料を、クレーン等で各格納棚の位置まで揚重する。次に、各格納棚の位置で、収納されているトレイの上側に仮設足場を組み立てる。これにより、各格納棚の位置には、各トレイに支持された状態の仮設足場が設けられる。
【先行技術文献】
【特許文献】
【０００７】
【特許文献１】特開平６−２９９７２７号公報
【発明の概要】
【発明が解決しようとする課題】
【０００８】
ところが、従来の手法では、各格納棚の位置で、トレイの上側に仮設足場を組み立てる作業を行うようにしているため、仮設足場の設置に要する高所作業の工数が多くなり、足場の設置作業に多くの時間を要するというのが実状である。
【０００９】
そこで、本発明は、格納棚にくし歯状の部材を有するトレイを備える形式の駐車装置について、仮設の足場の設置に要する高所作業の工数の削減化を図ることができる足場施工方法、および、該方法で用いる足場仮設トレイを提供しようとするものである。
【課題を解決するための手段】
【００１０】
本発明は、前記課題を解決するために、駐車装置の格納棚に収納する予定のくし歯部を有するトレイの上側に、下地部材と、足場板部材と、足場板固定部材と、吊具とを取り外し可能に備えた足場仮設トレイを、駐車装置の外部で組み立てる工程と、組み立てられた前記足場仮設トレイを、前記駐車装置におけるトレイ支持機構が設けられている格納棚の位置まで搬送する工程と、前記足場仮設トレイにおける前記トレイを前記トレイ支持機構に支持させることで、前記足場仮設トレイを前記格納棚に収納して、該格納棚の位置に、前記足場仮設トレイの足場板部材による足場を形成する工程と、を行う足場施工方法とする。
【００１１】
前記足場板部材は、前記駐車装置の格納棚に付設される水受手段で使用する予定のデッキプレートを用いる方法とする。
【００１２】
前記デッキプレートは、前記下地部材と前記足場板固定部材との間で挟持して固定する方法とする。
【００１３】
また、駐車装置の格納棚に収納する予定のくし歯部を有するトレイと、前記トレイの上側に取り外し可能に取り付けられた下地部材と、前記下地部材の上側に載置された足場板部材と、前記足場板部材を前記下地部材の上側に固定する足場板固定部材と、吊具と、を備える構成を有する足場仮設トレイとする。
【発明の効果】
【００１４】
本発明の駐車装置の足場施工方法、および、足場仮設トレイによれば、格納棚にくし歯状の部材を有するトレイを備える形式の駐車装置について、仮設の足場の設置に要する高所作業の工数の削減化を図ることができる。
【図面の簡単な説明】
【００１５】
【図１】足場施工方法を適用する駐車装置の概要を示す図である。
【図２】駐車装置の格納棚の部分を示す平面図である。
【図３】駐車装置の格納棚の水受手段を示す側面図である。
【図４】足場施工方法で用いる足場仮設トレイを示す概略平面図である。
【図５】足場仮設トレイの概略側面図である。
【図６】足場仮設トレイの要部を拡大して示す図である。
【図７】足場仮設トレイの別の要部を拡大して示す図である。
【図８】足場仮設トレイの更に別の要部を拡大して示す図である。
【図９】足場施工方法の第１実施形態の手順を説明するための図である。
【図１０】足場施工方法の図９に続く手順を説明するための図である。
【図１１】足場施工方法の図１０に続く手順を説明するための図である。
【発明を実施するための形態】
【００１６】
本発明の駐車装置の足場施工方法について、図面を参照して説明する。
【００１７】
図１は足場施工方法の適用対象となる駐車装置の概要を示す切断正面図である。図２は駐車装置における格納棚の部分を拡大して示す平面図である。図３は格納棚に付設される水受手段を拡大して示す切断正面図である。
【００１８】
図４は足場施工方法で用いる足場仮設トレイを示す概略平面図である。図５は足場仮設トレイの概略側面図である。図６は、図４のＡ−Ａ方向矢視拡大図である。図７は、図４のＢ−Ｂ方向矢視拡大図である。図８（ａ）は図６のＣ部を拡大して示す図、図８（ｂ）は図８（ａ）のＤ−Ｄ方向矢視図である。
【００１９】
図９は、足場施工方法の実施形態の手順を示すもので、地上で組み立てた足場仮設トレイを、格納棚に収納する工程を示す概要図である。図１０は、足場施工方法の図９に続く手順を示すもので、各格納棚の位置に足場仮設トレイによる足場を設けた状態を示す概要図である。図１１は、足場施工方法の図１０に続く手順を示すもので、図１１（ａ）は足場仮設トレイを昇降路に移動させる工程を示す概要図、図１１（ｂ）は足場仮設トレイを分解すると共に、格納棚に付設される水受手段を形成する工程を示す概要図である。
【００２０】
ここで先ず、本実施形態の足場施工方法の適用対象となる駐車装置について概説する。なお、説明の便宜上、駐車装置とその構成要素については、駐車装置の格納棚に収納されたトレイの長手方向に沿う方向の一方を前、他方を後といい、前側に向いて右手側を右、左手側を左という。
【００２１】
駐車装置は、図１に示すように、建屋１が、鉄骨構造２と、その外側を覆う外壁３で構成されている。
【００２２】
建屋１内には、上下方向に延びる昇降路４と、昇降路４の左右両側に位置する格納スペース５が設けられている。また、建屋１内には、車両６が入庫および出庫する入出庫階と、上下方向に設定された間隔で複数段の駐車階が設定されている。なお、入出庫階は、たとえば、地上階とされている。建屋１の入出庫階には、昇降路４に連通する入出庫口７が備えられている。
【００２３】
昇降路４には、入出庫階と、各駐車階との間を昇降するリフト８が備えられている。
【００２４】
各格納スペース５には、各駐車階と対応する位置ごとに格納棚９が設けられている。
【００２５】
各格納棚９の前端側と後端側には、図２に示すように、前後方向に対向する配置でトレイ支持機構１０が設けられている。又、昇降路４の前端側と後端側には、各格納棚９のトレイ支持機構１０と左右方向に並ぶ配置で、前後方向に対向するトレイ支持機構１０が設けられている。
【００２６】
トレイ支持機構１０は、左右方向に延びるローラフレーム１０ａと、左右方向に設定された間隔で配置されてローラフレーム１０ａに回転可能に支持された複数のローラ１０ｂと、各ローラ１０ｂを回転駆動する図示しない回転駆動手段とを備えた構成とされている。
【００２７】
各格納棚９には、車両積載用のトレイ１１が収納されている。
【００２８】
トレイ１１は、図２に示すように、前後のトレイ支持機構１０の各ローラ１０ｂ上に沿う配置で左右方向に延びる前後一対の横行フレーム部１２と、前後方向に延びて前後の両端部が各横行フレーム部１２に連結された左右一対の梁部１３と、各梁部１３の前部寄り個所と後部寄り個所から左右の両外側に突出するように設けられたくし歯部１４とを備えた構成とされている。各くし歯部１４は、車両６（図１参照）の車輪の前後位置に合わせた配置で設けられている。
【００２９】
本実施形態におけるトレイ１１は、梁部１３が横向きのチャネル材により形成されている。また、左右のくし歯部１４は、各梁部１３を貫通して左右方向に一連に延びる角筒材で形成されている。
【００３０】
これにより、トレイ１１は、前後の横行フレーム部１２が、格納棚９の前後のトレイ支持機構１０のローラ１０ｂに支持された状態で、格納棚９に収納されている。また、格納棚９に収納されたトレイ１１は、トレイ支持機構１０の各ローラ１０ｂを回転駆動手段（図示せず）により回転駆動することにより、図２に二点鎖線で示すように、格納棚９と昇降路４との間で横行可能とされている。
【００３１】
リフト８は、図示しないが、車両６（図１参照）の車輪を支持する個所に、くし歯状の部材を、トレイ１１のくし歯部１４とは平面的に重ならない互い違いの配置で備えた構成とされ、トレイ１１とは上下方向にすれ違い可能となっている。
【００３２】
更に、各格納棚９には、トレイ支持機構１０に支持されたトレイ１１の下側となる位置に、図３に示すように、水受手段１５が備えられている。
【００３３】
水受手段１５は、格納棚９の前端側と後端側に配置された左右方向に延びる前後一対の支持部材１６と、トレイ支持機構１０の下側または鉄骨構造２に取り付けられて支持部材１６を支持するブラケット１７と、前後の各支持部材１６同士の間に架け渡された水受板としてのデッキプレート１８とを備えた構成とされている。
【００３４】
デッキプレート１８は、１枚のデッキプレート１８の幅と、格納棚９の左右方向寸法との割合に応じて、適宜複数枚並べて使用される。本実施形態では、たとえば、左右方向に３枚のデッキプレート１８が並べて使用されている。各デッキプレート１８は、前端側と後端側が、それぞれ前後の支持部材１６の上側に載置されると共に、タッピングビスやその他の図示しない取付手段を介して、対応する支持部材１６に取り付けられている。
【００３５】
なお、前後の支持部材１６同士は、設置する高さに差が設けられていて、各デッキプレート１８には、前後方向に勾配が形成されている。更に、各デッキプレート１８の下端側となる前後方向の一端側には、支持部材１６の付近に図示しない排水手段が接続されている。この排水手段は、各デッキプレート１８から受ける水を、建屋外部に排出する機能を備えている。
【００３６】
次に、図４乃至図８（ａ）（ｂ）を用いて、本実施形態の足場施工方法で用いる足場仮設トレイ１９の構成について説明する。この足場仮設トレイ１９は、格納棚９に収納予定のトレイ１１に、予め仮設足場を装着したもので、以下のような構成としてある。
【００３７】
足場仮設トレイ１９は、トレイ１１に、下地部材２０ａ，２０ｂ，２１と、足場板部材としてのデッキプレート１８と、足場板固定部材２２と、吊具２３とを取り外し可能に取り付けた構成とされている。なお、図４では、便宜上、デッキプレート１８を二点鎖線で示してある。
【００３８】
図４、図５に示すように、トレイ１１の前端側の上側には、前部下地部材２０ａが載置され、トレイ１１の後端側の上側には、後部下地部材２０ｂが載置されている。また、トレイ１１の前後方向の中間部の上側には、中間部下地部材２１が載置されている。
【００３９】
前部下地部材２０ａおよび後部下地部材２０ｂは、トレイ１１の左右幅寸法よりも長い寸法で左右方向に延びる部材であり、たとえば、角筒材で形成されている。
【００４０】
図６に示すように、前部下地部材２０ａおよび後部下地部材２０ｂの長手方向中間部の下側には、トレイ１１の左右の梁部１３のウェブ１３ａに沿って配置される取付部材２４が下方に向けて突設されている。取付部材２４と、梁部１３のウェブ１３ａには、対応する配置でボルト孔２５，２６が穿設されており、この各ボルト孔２５，２６にボルト２７を挿通させてナット２８で締めることにより、前部下地部材２０ａおよび後部下地部材２０ｂはトレイ１１に固定されている。この状態からボルト２７とナット２８を緩めて取り外せば、前部下地部材２０ａおよび後部下地部材２０ｂは、トレイ１１に対する固定を解除して取り外すことができる。
【００４１】
トレイ１１に取り付けられた前部下地部材２０ａと後部下地部材２０ｂとの間隔は、トレイ１１を取付予定の格納棚９に付設される水受手段１５（図３参照）で使用予定のデッキプレート１８の前後方向の長さ寸法よりも設定された寸法分、短く設定されている。これにより、トレイ１１に取り付けられた状態の前部下地部材２０ａと後部下地部材２０ｂの上側には、水受手段１５で使用予定のデッキプレート１８の前端側と後端側を載置することができる。
【００４２】
中間部下地部材２１は、図４、図５に示すように、デッキプレート１８の長手方向中間部を下方から支持して、デッキプレート１８が足場板部材として使用されるときの変形を防止するための部材である。したがって、中間部下地部材２１は、水受手段１５で使用予定のデッキプレート１８の強度や剛性を考慮して、前部下地部材２０ａと後部下地部材２０ｂとの間に、単数または前後方向に設定された間隔で複数配置されている。本実施形態では、中間部下地部材２１を２個所に設ける例が示してある。なお、中間部下地部材２１を前後方向の３個所以上に配置した構成としてもよいことは勿論である。
【００４３】
各中間部下地部材２１は、前部下地部材２０ａおよび後部下地部材２０ｂと同様の長さ寸法で左右方向に延びる部材であり、たとえば、横向きのチャネル材により形成されている。
【００４４】
図７に示すように、各中間部下地部材２１の長手方向中間部には、トレイ１１の左右の梁部１３の内側近傍に配置される２個所に、下フランジ２１ａを上下に貫通するボルト孔２９が穿設されている。
【００４５】
各中間部下地部材２１の直下に位置する各梁部１３の上フランジ１３ｂには、個別のプレート部材３０が下方から当接するようにそれぞれ配置されている。この状態で、各プレート部材３０に設けられているボルト孔３１と、各中間部下地部材２１のボルト孔２９にボルト３２を挿通させてナット３３で締めることにより、各梁部１３の上フランジ１３ｂが、各中間部下地部材２１の下面とプレート部材３０との間に挟持される。３４は各ボルト３２に嵌めた座金である。
【００４６】
このように各梁部１３の上フランジ１３ｂを挟持することで、各中間部下地部材２１は、トレイ１１に固定されている。この状態からボルト３２とナット３３を緩めてプレート部材３０および座金３４を一緒に取り外せば、各中間部下地部材２１は、トレイ１１に対する固定を解除して取り外すことができる。
【００４７】
デッキプレート１８は、トレイ１１を取付予定の格納棚９に付設される水受手段１５（図３参照）で使用する予定のデッキプレート１８である。図４に示すように、デッキプレート１８は、前部下地部材２０ａ、後部下地部材２０ｂ、および、各中間部下地部材２１の上側に左右方向に３枚並べて載置されている。
【００４８】
足場板固定部材２２は、図４、図５、図６に示すように、デッキプレート１８の前端側と後端側の上側に、前部下地部材２０ａおよび後部下地部材２０ｂと平行な配置でそれぞれ載置されている。本実施形態では、各足場板固定部材２２は、たとえば、図８（ａ）に示すように、上向きの略チャネル形状の部材とされている。
【００４９】
前部下地部材２０ａおよび後部下地部材２０ｂと、前部および後部の各足場板固定部材２２は、デッキプレート１８より左右方向に突出する左右両端側に、上下方向に貫通するボルト孔３５，３６がそれぞれ穿設されている。前部下地部材２０ａおよび後部下地部材２０ｂの下端側のボルト孔３５の下側には、固定式のナット３７が取り付けられている。
【００５０】
これにより、各足場板固定部材２２のボルト孔３６に上方から挿通させたボルト３８を、前部下地部材２０ａと後部下地部材２０ｂのボルト孔３５を通してナット３７に締め込むことにより、各足場板固定部材２２が、その下方に位置する前部下地部材２０ａと後部下地部材２０ｂにそれぞれ固定されている。この状態で、デッキプレート１８は、前端側と後端側が、足場板固定部材２２と前部下地部材２０ａとの間、および、足場板固定部材２２と後部下地部材２０ｂとの間にそれぞれ挟持されて固定されている。したがって、デッキプレート１８は、特別な加工を要することなくトレイ１１に固定することができるため、後述するようにデッキプレート１８を後で水受手段１５の構成部材として使用しても、水受手段１５の機能に支障が生じる虞はない。
【００５１】
この状態から、各ボルト３８を対応するナット３７から緩めて取り外せば、各足場板固定部材２２は、前部下地部材２０ａおよび後部下地部材２０ｂに対する固定を解除して取り外すことができる。この各足場板固定部材２２の取り外しに伴い、デッキプレート１８も、トレイ１１に対する固定が解除されて取り外すことができる。
【００５２】
なお、ナット３７は、足場板固定部材２２の取付作業に要する手間を省くという点、および、後述する各足場板固定部材２２の取り外し作業時におけるナット３７の落下防止を図るという点から考えると、固定式であることが好ましい。しかし、各足場板固定部材２２の取り付けは、固定されていないナット３７を用いて行うようにしてもよいことは勿論である。
【００５３】
また、足場板固定部材２２の取付作業に要する手間を省くという点、および、各足場板固定部材２２の取り外し作業時におけるボルト３８の落下防止を図るという点から考えると、図８（ａ）（ｂ）に示すように、ボルト３８には、各足場板固定部材２２のボルト孔３６に上方から挿通させた状態で、抜け止め部材３９を予め取り付けておくことが好ましい。
【００５４】
吊具２３は、図８（ａ）（ｂ）に示すように、一端側が二股形状とされた略Ｕ字状（クレビス状）のリンク部材４０と、リンク部材４０の他端側に取り付けられたアイ部材４１とを備えた構成とされている。
【００５５】
リンク部材４０の二股形状は、前部下地部材２０ａとそれに取り付けられた足場板固定部材２２や、後部下地部材２０ｂとそれに取り付けられた足場板固定部材２２を、設定された余裕をもって跨ぐ形状とされている。
【００５６】
リンク部材４０の一端寄り個所には、二股形状部分を貫通するボルト孔４２が穿設されている。
【００５７】
前部下地部材２０ａおよび後部下地部材２０ｂの左右両端側には、ボルト孔３５と左右方向にずれた配置で、前後方向のボルト孔４３が穿設されている。各ボルト孔４３には、吊具２３のボルト孔４２が合わせて配置され、この状態で各ボルト孔４２，４３にボルト４４を挿通させてナット４５で締めることにより、前部下地部材２０ａおよび後部下地部材２０ｂの左右両端側に、各吊具２３が、ボルト４４を中心として左右方向に揺動可能に取り付けられている。
【００５８】
このように各吊具２３を揺動可能としたのは、各吊具２３に図示しないワイヤを掛けて足場仮設トレイ１９を４点吊りするときに、各吊具２３がワイヤの延びる方向に沿って傾くことで、各吊具２３自身や、前部下地部材２０ａおよび後部下地部材２０ｂの左右両端側の各吊具２３の取付個所に、大きな曲げ応力が生じないようにするためである。なお、この場合、各吊具２３は足場仮設トレイ１９の左右方向の中心側に傾く姿勢となるので、この状態のときにもリンク部材４０が足場板固定部材２２に接触することがないように、リンク部材４０の二股形状の大きさが設定されている。
【００５９】
更に、各吊具２３が左右に揺動可能としてあるので、足場仮設トレイ１９は、必要に応じて、左右いずれか一側の２つの吊具２３を介して２点吊りすることも可能である。
【００６０】
なお、吊具２３におけるアイ部材４１は、リンク部材４０の他端側に固定されていればよく、したがって、アイ部材４１は、アイナットとアイボルトのいずれを用いるようにしてもよく、更には溶接等の固定手段でリンク部材４０に固定されていてもよい。
【００６１】
次に、図９乃至図１１（ａ）（ｂ）を用いて、本実施形態の足場施工方法について説明する。
【００６２】
本実施形態の足場施工方法を実施する場合は、予め、図９に示すように、建屋１の鉄骨構造２を構築し、この鉄骨構造２における各格納棚９の位置に、トレイ支持機構１０を設けておく。
【００６３】
一方、建屋１の外部であって高所作業を伴わない個所、たとえば、地上において、各格納棚９に収納予定のトレイ１１と、各格納棚９に付設する水受手段１５（図３参照）で使用予定のデッキプレート１８とを用いて、前記した構成を有する足場仮設トレイ１９を組み立てる。この地上における足場仮設トレイ１９の組み立ては、駐車装置の建設現場で行ってもよいし、工場で足場仮設トレイ１９を組み立てた後に建設現場へ搬入するようにしてもよい。
【００６４】
その後、図９に示すように、足場仮設トレイ１９は、クレーンなどの図示しない搬送手段を用いて目的の格納棚９の位置まで吊り上げるように搬送し、足場仮設トレイ１９を構成しているトレイ１１の前後の横行フレーム部１２を、格納棚９の前後のトレイ支持機構１０に載置して支持させる。これにより、格納棚９には、足場仮設トレイ１９を収納する。この際、足場仮設トレイ１９は、目的とする格納棚９と同じ駐車階に位置する昇降路４のトレイ支持機構１０に一旦載置した後、目的とする格納棚９まで横行させるようにしてもよい。この場合の足場仮設トレイ１９の横行は、手動で行うようにすればよい。
【００６５】
足場仮設トレイ１９を格納棚９の位置まで搬送するときには、足場仮設トレイ１９を適宜傾けた姿勢とすることで、トレイ１１の前後両端側と、各格納棚９や昇降路４のトレイ支持機構１０との干渉を回避するようにすればよい。
【００６６】
このように足場仮設トレイ１９を目的とする格納棚９の位置まで吊り上げて格納棚９へ足場仮設トレイ１９を収納する作業を行う場合は、上方に位置する格納棚９からその下方に位置する格納棚９の順に足場仮設トレイ１９を順次収納することが好ましい。
【００６７】
なお、足場仮設トレイ１９は、必要に応じて、鉄骨構造２の外部を通して鉄骨構造２の上端側まで吊り上げた後、鉄骨構造２の内側を吊り降ろすようにして格納棚９の位置まで搬送するようにしてもよい。この手法の場合は、下方に位置する格納棚９からその上方に位置する格納棚９の順に足場仮設トレイ１９を順次収納することが好ましい。
【００６８】
格納棚９に足場仮設トレイ１９を収納した後は、対応するトレイ支持機構１０に図示しないブレーキをかけて、足場仮設トレイ１９の予期しない横行を防止することが好ましい。
【００６９】
格納棚９に足場仮設トレイ１９を収納する作業は、順次繰り返し行って、図１０に示すように、各格納棚９に足場仮設トレイ１９を収納する。これにより、鉄骨構造２における各格納棚９の位置には、足場仮設トレイ１９のデッキプレート１８による足場が形成される。よって、駐車装置では、上下方向に複数段の仮設の足場を形成することができる。
【００７０】
したがって、この状態の駐車装置では、各格納棚９の位置に形成された仮設の足場に乗る作業者が、鉄骨構造２に対する外壁３の取り付け作業などを進めることができて、建屋１の構築作業を進めることができる。
【００７１】
また、この状態で、各格納棚９の位置に形成された仮設の足場に乗った作業者は、自分が乗っている足場の一つ上の段の格納棚９について、図１１（ａ）に示すように、水受手段１５を形成するための支持部材１６を、格納棚９の前後の各トレイ支持機構１０の下方に配置すると共に、ブラケット１７を介して各トレイ支持機構１０または鉄骨構造２の前端側と後端側に設置する。更に、作業者は、自分が乗っている足場の一つ上の段の格納棚９について、電気配線の工事などの下方からの作業が必要とされる工事を行う。
【００７２】
その後、各格納棚９の位置の足場が不要になった場合は、仮設の足場の撤去作業を行う。
【００７３】
この仮設足場の撤去作業は、先ず、図１１（ａ）に示すように、作業対象となる格納棚９において、トレイ支持機構１０の図示しないブレーキを解除し、図１１に二点鎖線で示すように、格納棚９に収納されていた足場仮設トレイ１９をトレイ支持機構１０に沿って昇降路４まで横行させる。
【００７４】
次に、足場仮設トレイ１９における足場板固定部材２２を固定していたボルト３８（図８（ａ）（ｂ）参照）を緩めて、図１１（ｂ）に示すように、足場板固定部材２２を取り外す。この取り外された足場板固定部材２２は、回収する。この場合は、たとえば、昇降路４における足場仮設トレイ１９の下方となる位置には、図示しないゴンドラを配置しておき、そのゴンドラへ足場板固定部材２２を移動させて回収するようにすればよい。
【００７５】
次いで、各下地部材２０ａ，２０ｂ，２１上に載置されている３枚のデッキプレート１８は、順次取り外して、作業対象の格納棚９の前後の支持部材１６上にデッキプレート１８の前後両端部が載置されて支持される位置まで順次移動させる。この際、各デッキプレート１８の移動は、作業対象の格納棚９の一段下の格納棚９に収納されている足場仮設トレイ１９を足場として、作業者が手動で行うようにすればよい。このようにして前後両端部を支持部材１６に載置した各デッキプレート１８は、前記所定の取付手段により各支持部材１６に取り付ける。これにより、作業対象の格納棚９では、水受手段１５が形成される。
【００７６】
前記のように足場仮設トレイ１９からデッキプレート１８を取り外した後は、ボルト２７とナット２８とを緩めて前部下地部材２０ａと後部下地部材２０ｂとをトレイ１１から取り外すと共に、ボルト３２とナット３３とを緩めて各中間部下地部材２１をトレイ１１から取り外す。
【００７７】
この取り外された各下地部材２０ａ，２０ｂ，２１、ボルト２７，３２とナット２８，３３、およびその他の付属部材は、足場板固定部材２２と同様に、たとえば、図示しないゴンドラに移動して回収する。
【００７８】
以上により仮設の物品が取り外された後のトレイ１１は、再び格納棚９に移動して収納して、作業対象の格納棚９についての仮設足場の撤去作業を完了する。
【００７９】
なお、前記作業の際に要する足場仮設トレイ１９やトレイ１１の横行は、手動で行うようにすればよい。また、足場撤去作業が終了して格納棚９に収納したトレイ１１については、必要に応じてトレイ支持機構１０の図示しないブレーキをかけておくようにすればよい。
【００８０】
その後は、前記した一つの格納棚９を作業対象とする仮設足場の撤去作業を、各格納棚９の足場仮設トレイ１９に対して順次繰り返して行う。
【００８１】
これにより、すべての格納棚９に収納されていた足場仮設トレイ１９を対象として足場撤去作業を終了すると、各格納棚９には、図１に示したと同様に、仮設の物品が装備されていない状態のトレイ１１が収納されると共に、デッキプレート１８を用いて形成された水受手段１５が付設された状態となる。
【００８２】
このように、本実施形態の足場施工方法によれば、高所作業を伴わない地上において格納棚９に収納予定のトレイ１１を用いた足場仮設トレイ１９を組み立て、この足場仮設トレイ１９を各格納棚９まで搬送して、トレイ１１を格納棚９に収納する場合と同様に、足場仮設トレイ１９を格納棚９に収納させることにより、駐車装置における上下方向の複数個所に仮設の足場を設けることができる。
【００８３】
したがって、本実施形態の足場施工方法は、格納棚９にくし歯部１４を有するトレイ１１を備える形式の駐車装置について、仮設の足場の設置に要する高所作業の工数の削減化を図ることができる。これにより、足場の設置作業に要する時間を削減することができる。
【００８４】
また、足場仮設トレイ１９は、各下地部材２０ａ，２０ｂ，２１、足場板部材となるデッキプレート１８、足場板固定部材２２、および、吊具２３が、トレイ１１から取り外し可能な構成としてあるため、仮設の足場が不要になった場合は、トレイ１１は対応する格納棚９と同じ駐車階に残したままで、トレイ１１から各下地部材２０ａ，２０ｂ，２１、デッキプレート１８、足場板固定部材２２、および、吊具２３を簡単に取り外すことができる。このため、仮設の足場の撤去作業のときに、地上に降ろして回収する物品の点数を削減することできる。
【００８５】
更に、本実施形態における足場仮設トレイ１９は、足場板部材として、格納棚９に付設される水受手段１５で使用する予定のデッキプレート１８を用いるようにしてある。このため、仮設の足場用の足場板部材を別に用意する必要はない。よって、仮設の足場の設置のために要する材料コストの削減化を図ることができる。
【００８６】
また、仮設の足場の撤去作業時には、トレイ１１から取り外したデッキプレート１８は、地上へ降ろすことなく、そのまま水受手段１５を形成する部材として用いることができる。よって、この場合は、仮設の足場の撤去作業のときに、地上に降ろして回収する物品の点数を更に削減することできる。更に、この場合は、水受手段１５を形成するためのデッキプレート１８を、別途格納棚９まで搬送する工程を省くこともできる。したがって、駐車装置の建設に要する手間と時間の低減化を図ることもできる。
【００８７】
なお、本発明は、前記実施形態にのみ限定されるものではなく、各図に示した各構成部材の寸法や、各構成部材同士の寸法比は、図示するための便宜上のものであり、実際の寸法や寸法比を反映したものではない。また、たとえば、トレイ１１におけるくし歯部１４や、トレイ支持機構１０におけるローラ１０ｂのように、同じものが複数ある物品については、図示する便宜上、数や配置される間隔が適宜変更してある。
【００８８】
トレイ１１の梁部１３やくし歯部１４の断面形状は、図示した以外の任意の断面形状であってもよい。トレイ１１は、梁部１３が左右一対のチャネル材で形成された構成を例示したが、梁部１３は、前後両端側が横行フレーム  に取り付けられ、且つ左右両側に車両６の車輪を載置するくし歯部１４を保持できる構成としてあれば、チャネル材以外の形鋼を用いた構成としてもよい。また、梁部１３は、設定された左右幅寸法を有する単一の部材であってもよい。
【００８９】
したがって、梁部１３に対する各下地部材２０ａ，２０ｂ，２１の取り付けは、取り外し可能な手段であれば、図示した以外の任意の取付構造を採用してもよい。また、ボルト２７，３２とナット２８，３３以外の取り外し可能な任意の取付手段を用いるようにしてもよい。
【００９０】
各下地部材２０ａ，２０ｂ，２１の断面形状は、図示した以外の任意の断面形状を採用してもよい。
【００９１】
前部と後部の下地部材２０ａ，２０ｂに対する足場板固定部材２２の取り付けは、取り外し可能としてあれば、たとえば、クランプなど、ボルト３８とナット３７による以外の任意の取付手段を採用してもよい。
【００９２】
足場仮設トレイ１９を構成する足場板部材としては、水受手段１５で使用する予定のデッキプレート１８を用いることが好ましいが、デッキプレート１８以外の足場板部材を用いるようにしてもよい。この場合であっても、本発明の足場施工方法では、格納棚９にくし歯部１４を有するトレイ１１を備える形式の駐車装置について、仮設の足場の設置に要する高所作業の工数の削減化を図ることができる。
【００９３】
足場仮設トレイ１９の組み立ては、駐車装置の外部であれば、いかなる個所で行うようにしてもよい。この場合も、駐車装置の各格納棚９の位置に仮設の足場を設置するという作業に関しては、高所作業の工数の削減化を図ることができる。
【００９４】
足場仮設トレイ１９は、必ずしもすべての格納棚９に収納しなくてもよい。この場合、仮設の足場が必要とされない格納棚９については、トレイ１１のみを格納棚９まで搬送して収納するようにすればよい。
【００９５】
駐車装置は、昇降路４の下端側に、入出庫階と対応する高さ位置で車両６を旋回させるターンテーブルを備えた構成としてもよい。また、駐車装置は、建屋１の左右方向のいずれか一方に入出庫口７を備えた構成であってもよい。駐車装置の入出庫階は、地上階以外であってもよい。
【００９６】
また、本発明は、地下式の駐車装置や、地上と地下の双方に格納スペース５を有する駐車装置に対して適用してもよいことは勿論である。
【００９７】
その他本発明の要旨を逸脱しない範囲内で種々変更を加え得ることは勿論である。
【符号の説明】
【００９８】
９  格納棚
１０  トレイ支持機構
１１  トレイ
１４  くし歯部
１５  水受手段
１８  デッキプレート（足場板部材）
１９  足場仮設トレイ
２０ａ  前部下地部材（下地部材）
２０ｂ  後部下地部材（下地部材）
２１  中間部下地部材（下地部材）
２２  足場板固定部材
２３  吊具
【図１】
0006688643.tif 000002
【図２】
0006688643.tif 000003
【図３】
0006688643.tif 000004
【図４】
0006688643.tif 000005
【図５】
0006688643.tif 000006
【図６】
0006688643.tif 000007
【図７】
0006688643.tif 000008
【図８】
0006688643.tif 000009
【図９】
0006688643.tif 000010
【図１０】
0006688643.tif 000011
【図１１】
0006688643.tif 000012